(57)【要約】【課題】現在のシステムでは、１人の消費者のみが、単一のセッションを用いて、または単一のデバイス（例えばコンピュータ、モバイルデバイス）において、製品をパーソナライズすることができる。【解決手段】方法は、ネットワークを介してユーザデバイスにおいて、ユーザによって選択された消費者製品の３次元（３Ｄ）モデルを表示するユーザインターフェースを提供するステップを含む。方法は、提供されたユーザインターフェースにおいて、少なくとも２人のユーザから受け取られた消費者製品の選択および操作に基づいて、消費者製品の３Ｄモデルをカスタマイズするステップをさらに含む。方法は、ユーザのうちの１人による、カスタマイズされた３Ｄモデルの確定に応じて、カスタマイズされた３Ｄモデルを３Ｄ印刷のために提出するステップをさらに含む。これにより、複数の人々がコラボレーションして、単一の３Ｄ印刷された製品を作成することができる。【選択図】図１
2017120629.tif 000002
【特許請求の範囲】
【請求項１】
プロセッサを有するサーバが、
ネットワークを介して少なくとも１つのユーザデバイスに、複数のユーザのうちの少なくとも１人のユーザによって選択された消費者製品の３次元（３Ｄ）モデルを表示するユーザインターフェースを提供するステップと、
前記提供されたユーザインターフェースにおいて、前記複数のユーザのうちの少なくとも２人のユーザから受け取られた前記消費者製品の選択および操作に基づいて、前記消費者製品の前記３Ｄモデルをカスタマイズするステップと、
前記複数のユーザのうちの少なくとも１人による、前記カスタマイズされた３Ｄモデルの確定に応じて、前記カスタマイズされた３Ｄモデルを３Ｄ印刷のために提出するステップと
を含む方法。
【請求項２】
前記複数のユーザのうちの第１のユーザが、前記複数のユーザのうちの第２のユーザに勧誘を送ることを可能にするステップと、
前記勧誘に応じて、前記第１のユーザおよび前記第２のユーザによる、それぞれ第１のユーザデバイスおよび第２のユーザデバイスを通じた、前記消費者製品のカスタマイズ化を可能にするステップと
をさらに含む請求項１に記載の方法。
【請求項３】
前記第２のユーザに前記勧誘を送ることは、第三者の認証サービスを通じたものである請求項２に記載の方法。
【請求項４】
前記消費者製品の前記３Ｄモデルをカスタマイズするステップは、
前記ユーザインターフェースにおいて、前記複数のユーザのうちの第１のユーザによる、カスタマイズ化のための前記３Ｄモデルの少なくとも１つの特徴の選択を可能にするステップと、
前記選択に応じて、前記複数のユーザのうちの前記第１のユーザ以外のいずれのユーザからの選択およびカスタマイズ化もロックするステップと
をさらに含む請求項１に記載の方法。
【請求項５】
前記３Ｄモデルの前記少なくとも１つの特徴は、前記３Ｄモデルの要素の色、材料、形状、および回転のうちの少なくとも１つを含むことができる請求項４に記載の方法。
【請求項６】
前記カスタマイズされた３Ｄモデルの要素は、別個のシステムによって作成される請求項１に記載の方法。
【請求項７】
前記ユーザインターフェースを提供するステップは、前記３Ｄモデルをカスタマイズする前記複数のユーザのそれぞれに対する一意のアバターを表示するステップを含み、前記一意のアバターは、前記ユーザを表す色およびパターンのうちの少なくとも１つに対応し、それにより、前記ユーザインターフェースは、特定のユーザの前記アバターに対応する前記色または前記パターンを表示して、前記３Ｄモデルの要素が前記一意のアバターに対応する前記特定のユーザによってカスタマイズされていることを示すことができる請求項１に記載の方法。
【請求項８】
システムであって、
プロセッサと、
コンピュータコード命令が記憶されたメモリと、を備え、前記メモリは、前記プロセッサに動作可能に結合され、それにより、前記コンピュータコード命令は、前記プロセッサを、
少なくとも１つのユーザデバイスにおいて、複数のユーザのうちの少なくとも１人のユーザによって選択された消費者製品の３次元（３Ｄ）モデルを表示するユーザインターフェースを提供するように構成されたユーザインターフェースモジュールと、
前記提供されたユーザインターフェースにおいて、前記複数のユーザのうちの少なくとも２人のユーザから受け取られた前記消費者製品の選択および操作に基づいて、前記消費者製品の前記３Ｄモデルをカスタマイズするように構成されたカスタマイズ化モジュールと、
前記複数のユーザのうちの少なくとも１人による、前記カスタマイズされた３Ｄモデルの確定に応じて、前記カスタマイズされた３Ｄモデルを３Ｄ印刷のために提出するように構成された印刷モジュールと、
を実装するように構成するシステム。
【請求項９】
前記コンピュータコード命令は、前記プロセッサを、
前記複数のユーザのうちの第１のユーザが、前記複数のユーザのうちの第２のユーザに勧誘を送ることを可能にするように構成された勧誘モジュールを実装するように構成し、
前記カスタマイズ化モジュールは、前記勧誘に応じて、前記第１のユーザおよび前記第２のユーザによる、それぞれ第１のユーザデバイスおよび第２のユーザデバイスを通じた、前記消費者製品のカスタマイズ化を可能にするようにさらに構成される請求項８に記載のシステム。
【請求項１０】
前記勧誘モジュールは、第三者の認証サービスを通じて、前記第２のユーザに前記勧誘を送るようにさらに構成される請求項９に記載のシステム。
【請求項１１】
前記カスタマイズ化モジュールは、
前記ユーザインターフェースにおいて、第１のユーザによる、カスタマイズ化のための前記３Ｄモデルの少なくとも１つの特徴の選択を可能にし、
前記選択に応じて、前記複数のユーザのうちの前記第１のユーザ以外のいずれのユーザからの選択およびカスタマイズ化もロックする
ようにさらに構成される請求項８に記載のシステム。
【請求項１２】
前記３Ｄモデルの前記少なくとも１つの特徴は、前記３Ｄモデルの要素の色、材料、形状、および回転のうちの少なくとも１つを含むことができる請求項１１に記載のシステム。
【請求項１３】
前記カスタマイズされた３Ｄモデルの要素は、別個のシステムによって作成される請求項８に記載のシステム。
【請求項１４】
前記ユーザインターフェースモジュールは、前記３Ｄモデルをカスタマイズする前記複数のユーザのそれぞれに対する一意のアバターを表示するようにさらに構成され、前記一意のアバターは、前記ユーザを表す色およびパターンのうちの少なくとも１つに対応し、それにより、前記ユーザインターフェースは、特定のユーザの前記アバターに対応する前記色または前記パターンを表示して、前記３Ｄモデルの要素が前記一意のアバターに対応する前記特定のユーザによってカスタマイズされていることを示すことができる請求項８に記載のシステム。
【請求項１５】
３次元（３Ｄ）製品をカスタマイズするための命令を記憶するように構成された非一時的コンピュータ可読媒体であって、前記命令は、プロセッサによってロードされて実行されたときに、前記プロセッサに、
少なくとも１つのユーザデバイスに、複数のユーザのうちの少なくとも１人のユーザによって選択された消費者製品の３次元（３Ｄ）モデルを表示するユーザインターフェースを提供することと、
前記提供されたユーザインターフェースにおいて、前記複数のユーザのうちの少なくとも２人のユーザから受け取られた前記消費者製品の選択および操作に基づいて、前記消費者製品の前記３Ｄモデルをカスタマイズすることと、
前記複数のユーザのうちの少なくとも１人による、前記カスタマイズされた３Ｄモデルの確定に応じて、前記カスタマイズされた３Ｄモデルを３Ｄ印刷のために提出することと、
を行わせる非一時的コンピュータ可読記録媒体。
【請求項１６】
前記命令は、前記プロセッサに、
前記複数のユーザのうちの第１のユーザが、前記複数のユーザのうちの第２のユーザに勧誘を送ることを可能にすることと、
前記勧誘に応じて、前記第１のユーザおよび前記第２のユーザによる、それぞれ第１のユーザデバイスおよび第２のユーザデバイスを通じた、前記消費者製品のカスタマイズ化を可能にすることと、
をさらに行わせる請求項１５に記載の非一時的コンピュータ可読記録媒体。
【請求項１７】
前記勧誘は、第三者の認証サービスを通じて、前記第２のユーザに送られる請求項１６に記載の非一時的コンピュータ可読記録媒体。
【請求項１８】
前記命令は、前記プロセッサに、
前記ユーザインターフェースにおいて、第１のユーザによる、カスタマイズ化のための前記３Ｄモデルの少なくとも１つの特徴の選択を可能にし、
前記選択に応じて、前記複数のユーザのうちの前記第１のユーザ以外のいずれのユーザからの選択およびカスタマイズ化もロックする
ことによって、前記消費者製品の前記３Ｄモデルをカスタマイズさせる、請求項１５に記載の非一時的コンピュータ可読記録媒体。
【請求項１９】
前記３Ｄモデルの前記少なくとも１つの特徴は、前記３Ｄモデルの要素の色、材料、形状、および回転のうちの少なくとも１つを含むことができる請求項１８に記載の非一時的コンピュータ可読記録媒体。
【請求項２０】
前記カスタマイズされた３Ｄモデルの要素は、別個のシステムによって作成される請求項１５に記載の非一時的コンピュータ可読記録媒体。
【発明の詳細な説明】
【背景技術】
【０００１】
小売り製品は、従来のおよび付加的な製造（３次元（３Ｄ）印刷）を用いて消費者のためにパーソナライズされ得る。例えば、消費者は、特注の文字列を有し、または一定の色を有する宝石を望む場合がある。消費者は、例えば小売業者のウェブサイトを介して、小売業者と協働して、カスタマイズされた製品を作成し、それを注文し得る。次いで、小売業者は、製品を３Ｄ印刷し、それを消費者に出荷することができる。
【発明の概要】
【０００２】
現在のシステムでは、１人の消費者のみが、単一のセッションを用いて、または単一のデバイス（例えば、コンピュータ、モバイルデバイス）において、製品をパーソナライズすることができる。第１の人物が、その人物のパーソナライズされた製品を第２の人物と共有したい場合、第１の人物は、電子メールまたは他のメッセージングアプリケーションを介して共有されるスクリーンショットによって、その製品を同じ画面上で第２の人物に示さなければならない。いずれの現在の解決策も、２人以上が、複数の場所に居ながら、または複数のデバイス上で、同時に同じ製品をパーソナライズすることを可能にしない。
【０００３】
Ｇｏｏｇｌｅ（商標）Ｄｏｃｓおよび同様のツールは、テキストドキュメント、スプレッドシート、およびスライドプレゼンテーションなどの、職場ドキュメントに対する複数の人々からのコラボレーションを可能にする。しかし、このようなソリューションは、消費者がコラボレーションして３Ｄ対象物をカスタマイズまたは編集する能力を提供しない。例えば、Ｇｏｏｇｌｅ（商標）Ｄｏｃｓはさらに、単一のＧｏｏｇｌｅログインを用いた認証を必要とし、代替の認証を用いたログインを認めない。
【０００４】
本発明の実施形態では、オンライン小売店の複数の顧客は、ソーシャルメディアからの勧誘およびソーシャルメディアによる認証を使用することによって、３Ｄ製品について討議しコラボレーションするために連絡することができる。例えば、婚約中のカップルは、ソーシャルメディアを介して互いを勧誘し、３Ｄ環境において一緒にコラボレーションして、小売り業ウェブサイト上で結婚指輪をパーソナライズすることができ、または、複数の家族員がコラボレーションして、別の家族員のためにカスタマイズされた製品を作成することができる。
【０００５】
実施形態では、方法は、プロセッサを用いてサーバによって、ネットワークを介してユーザデバイスにおいて、ユーザによって選択された消費者製品の３次元（３Ｄ）モデルを表示するユーザインターフェースを提供するステップを含む。方法は、提供されたユーザインターフェースにおいて、少なくとも２人のユーザから受け取られた消費者製品の選択および操作に基づいて、消費者製品の３Ｄモデルをカスタマイズするステップをさらに含む。方法は、ユーザのうちの１人による、カスタマイズされた３Ｄモデルの確定に応じて、カスタマイズされた３Ｄモデルを３Ｄ印刷のために提出するステップをさらに含む。
【０００６】
実施形態では、方法は、第１のユーザが、第２のユーザに勧誘を送ることを可能にするステップをさらに含む。方法は、勧誘に応じて、第１のユーザおよび第２のユーザによる、それぞれ第１のユーザデバイスおよび第２のユーザデバイスを通じた、消費者製品のカスタマイズ化を可能にするステップをさらに含む。
【０００７】
実施形態では、第２のユーザに勧誘を送るステップは、第三者の認証サービスを通じたものである。
【０００８】
実施形態では、消費者製品の３Ｄモデルをカスタマイズするステップは、ユーザインターフェースにおいて、第１のユーザによる、カスタマイズ化のための３Ｄモデルの少なくとも１つの特徴の選択を可能にするステップと、選択に応じて、第１のユーザ以外のいずれのユーザからの選択およびカスタマイズ化もロックするステップとをさらに含む。
【０００９】
実施形態では、３Ｄモデルの特徴は、３Ｄモデルの要素の色、材料、形状、または回転を含むことができる。
【００１０】
実施形態では、カスタマイズ可能な要素は、別個のシステムによって作成される。
【００１１】
実施形態では、ユーザインターフェースを提供するステップは、３Ｄモデルをカスタマイズする複数のユーザのそれぞれに対する一意のアバターを表示するステップを含む。一意のアバターは、ユーザを表す色またはパターンに対応することができ、それにより、ユーザインターフェースは、特定のユーザのユーザアバターに対応する色またはパターンを表示して、３Ｄモデルの要素が一意のアバターに対応する特定のユーザによってカスタマイズされていることを示す。
【００１２】
実施形態では、ユーザインターフェースを提供するステップは、複数のユーザのそれぞれが、３Ｄ領域における異なる視点から３Ｄモデルを眺めることを可能にするステップをさらに含む。
【００１３】
実施形態では、システムは、プロセッサと、コンピュータコード命令が記憶されたメモリとを含む。メモリは、前記プロセッサに動作可能に結合されることが可能であり、それにより、コンピュータコード命令は、プロセッサを、ネットワークを介してユーザデバイスにおいて、ユーザによって選択された消費者製品の３Ｄモデルを表示するユーザインターフェースを提供するように構成されたユーザインターフェースモジュールを実施するように、構成する。コンピュータコード命令は、提供されたユーザインターフェースにおいて、少なくとも２人のユーザから受け取られた消費者製品の選択および操作に基づいて、消費者製品の３Ｄモデルをカスタマイズするように構成されカスタマイズ化モジュールを実施するように、プロセッサをさらに構成する。コンピュータコード命令は、ユーザのうちの１人による、カスタマイズされた３Ｄモデルの確定に応じて、カスタマイズされた３Ｄモデルを３Ｄ印刷のために提出するように構成された印刷モジュールを実施するように、プロセッサをさらに構成する。
【００１４】
実施形態では、非一時的コンピュータ可読媒体は、３Ｄ製品をカスタマイズするための命令を記憶するように構成される。命令は、プロセッサによってロードされ実行されたときに、プロセッサに、ネットワークを介してユーザデバイスにおいて、ユーザによって選択された消費者製品の３Ｄモデルを表示するユーザインターフェースを提供することを行わせる。命令は、プロセッサに、提供されたユーザインターフェースにおいて、少なくとも２人のユーザから受け取られた消費者製品の選択および操作に基づいて、消費者製品の３Ｄモデルをカスタマイズすることをさらに行わせる。命令は、プロセッサに、ユーザのうちの１人による、カスタマイズされた３Ｄモデルの確定に応じて、カスタマイズされた３Ｄモデルを３Ｄ印刷のために提出することをさらに行わせる。
【図面の簡単な説明】
【００１５】
上記内容は、異なる図にわたって類似の参照記号は同じ部分を指す添付の図面に示される、本発明の例示の実施形態の以下のより具体的な説明から、明らかになるであろう。図面は必ずしも原寸に比例して描かれておらず、代わりに本発明の実施形態を示すことに重点が置かれている。
【図１】本発明の例示の実施形態を示す図である。
【図２Ａ】本発明の例示の実施形態を示す図である。
【図２Ｂ】本発明の例示の実施形態を示す図である。
【図３Ａ】ユーザインターフェースの例示の実施形態を示す図である。
【図３Ｂ】本発明の例示の実施形態を示す図である。
【図４Ａ】本発明の例示の実施形態を示す図である。
【図４Ｂ】本発明の例示の実施形態を示す図である。
【図５】本発明の例示の実施形態を示す図である。
【図６Ａ】本発明の例示の実施形態を示す図である。
【図６Ｂ】本発明の例示の実施形態を示す図である。
【図７】本発明によって使用されるプロセスの例示の実施形態を示すフロー図である。
【図８】本発明の例示の実施形態を示すブロック図である。
【図９】本発明の実施形態が実施され得る、コンピュータネットワークまたは同様のデジタル処理環境を示す図である。
【図１０】図９のコンピュータシステムにおけるコンピュータ（例えば、クライアントプロセッサ／デバイスまたはサーバコンピュータ）の例示の内部構造の図である。
【発明を実施するための形態】
【００１６】
以下は本発明の例示の実施形態の説明である。
【００１７】
図１は、本発明の例示の実施形態を示す図１００である。ユーザ１０２は、ユーザデバイス１０４上に表示された３Ｄ製品１０３のモデルに対して、後続のユーザ１０６ａ〜ｃとコラボレーションすることができる。ユーザデバイス１０４はクラウド１１０を介して、小売り業サーバ１１４、および１または複数のソーシャルメディアプラットフォーム１１２、ならびに他のユーザデバイス１０８に動作可能に接続される。ユーザ１０２はカスタマイズ化のために、小売業者によって提供される３Ｄ製品を選択することができる。ユーザ１０２は、クラウド１１０を介して、３Ｄモデル１３２に対する更新を小売り業サーバ１１４に送ることができる。ソーシャルメディアプラットフォーム１１２の例は、Ｆａｃｅｂｏｏｋ（登録商標）、Ｔｗｉｔｔｅｒ（登録商標）、Ｉｎｓｔａｇｒａｍ（登録商標）、Ｐｉｎｔｅｒｅｓｔ（商標）、Ｇｏｏｇｌｅ＋（商標）を含むことができる。ユーザ１０２はまた後続のユーザ１０６ａ〜ｃを、ユーザ１０６ａ〜ｃの対応するユーザデバイス１０８にコラボレーション勧誘１２０を送ることによって、勧誘することができる。後続のユーザ１０６ａ〜ｃはユーザデバイス１０８上で認証信用証明１２２を入力し、これらはクラウド１１０を通じてソーシャルメディアプラットフォーム１１２に転送される。次いでソーシャルメディアプラットフォームは、認証信用証明１２２が正しい場合は後続のユーザ１０６ａ〜ｃにアクセスを認可することができ、各認証されたユーザのために小売り業サーバ１１４に対して認証アクセストークン１２４を送ることができる。当業者は他の実施形態においてもコラボレーション勧誘１２０は、ソーシャルメディアプラットフォーム１１２からの開始によって、ユーザデバイス１０８に送られ得ることを認識することができる。
【００１８】
後続のユーザ１０６ａ〜ｃが認証された後に小売り業サーバ１１４は、後続のユーザ１０６ａ〜ｃが小売り業サーバ１１４において３Ｄモデル１２８に対する更新を入力することを可能にする。ユーザ１０２は他のユーザから更新１３０を受け取ることができ、後続のユーザ１０６ａ〜ｃは他のユーザから更新１２６を受け取ることができる。これらの更新１３０および１２６はそれぞれ、ユーザデバイス１０４および１０８上の３Ｄ製品１０３のモデルの表示を更新する。
【００１９】
このようにして最初のユーザ１０２および後続のユーザ１０６ａ〜ｃはすべて、３Ｄ製品１０３のモデルに対して編集、カスタマイズ、およびコラボレーションすることができる。さらに、後続のユーザ１０６ａ〜ｃを勧誘することは、後続のユーザ１０６ａ〜ｃソーシャルメディアアカウントからすでに存在する認証を使用することによって行われ、以下によって後続のユーザ１０６ａ〜ｃを勧誘するプロセスを簡単にする：
ａ）勧誘するユーザが、彼または彼女のすでに存在するソーシャルネットワーク接続をうまく利用することを可能にする、および
ｂ）後続のユーザ１０６−ａ−ｃが、追加のアカウントを作成することを必要とせずに、製品をカスタマイズすることを可能にする。
【００２０】
各ユーザ１０２および後続のユーザ１０６ａ〜ｃが、編集のために要素を選択することによって３Ｄ製品１０３のモデルの要素のカスタマイズ化を開始するとすぐに、システムは、すべての他のユーザが対象物のその要素をカスタマイズするのをロックする。これは、複数のユーザが同時に同じ要素を編集する競合を防止する。このような同じ要素の同時の編集は、ユーザが同じ要素を異なる形状、色、または材料に変更しようとするなどの問題を引き起こし得る。しかし当業者は、各ユーザは同時に３Ｄ製品１０３のモデルの別個の／異なる要素を修正できることを認識し得る。
【００２１】
ユーザ１０２および１０６ａ〜ｃが３Ｄ製品１０３を確定したときは、彼等は小売り業サーバ１１４に、製品が確定されたこと、およびさらに製品の注文を発行することを信号で伝えることができる。様々な実施形態では最初のユーザ１０２が製品を確定できる唯一のユーザとすることができる、いずれのユーザ１０２または１０６ａ〜ｃも製品を確定できる、またはユーザ１０２または１０６ａ〜ｃのグループが全体として製品を確定するように、投票するまたは全員一致で決定することができる。次いで小売り業サーバ１１４は、クラウド１１０を介して最終の３Ｄモデル１４０を、３Ｄ印刷サービス１４２に発行することができる。次いで３Ｄ印刷サービス１４２は３Ｄ印刷された製品１４４を作成し、これはユーザ１０２および１０６ａ〜ｃの１人にまたは第三者に例えばギフトとして出荷されることが可能となる。このようにして複数のユーザが、有形の対象物として印刷され顧客に出荷されるカスタマイズされた３Ｄ製品に対して、電子的にコラボレーションすることができる。
【００２２】
図２Ａは、本発明の例示の実施形態を示す図２００である。第１のユーザ２０４は小売り業ウェブサイトを訪れ、これは第１のユーザ２０４にユーザインターフェース２０２を示す。ユーザインターフェース２０２は、３Ｄ製品２１２、この場合は宝石を有する指輪を表示する。ユーザインターフェースはさらにカスタマイズ化オプション２１４を提示し、ユーザが、指輪の材料、宝石の種類、または色、形状、または指輪の様々な部分上のパターンなどの、指輪の種々の特徴を変化させることを可能にする。ユーザはさらに指輪上の彫り込みもカスタマイズすることができる。ユーザインターフェースはまた、ユーザの第１のユーザアバター２０６を示して、第１のユーザ２０４が３Ｄ製品２１２を編集していることを示す。ユーザインターフェース２０２上に第１のユーザ通信コントロールパネル２１０が提示されることが可能であり、第１のユーザが、ウェブカメラ通信セッション、マイクロフォン通信セッションを開始する、またはスピーカもしくはマイクロフォン音量を調整することを可能にする。第１のユーザ２０４はまた、第１のユーザソーシャルネットワーク２０８に関連付けられることが可能である。この場合には、第１のユーザソーシャルネットワーク２０８は、Ｆａｃｅｂｏｏｋ（登録商標）であるが、当業者は、ソーシャルネットワークはＴｗｉｔｔｅｒ（登録商標）、Ｂｌｏｇｇｅｒ（登録商標）、ＬｉｎｋｅｄＩｎ（登録商標）、ＹｏｕＴｕｂｅ（登録商標）、Ｉｎｓｔａｇｒａｍ（登録商標）、およびＳｎａｐｃｈａｔ（登録商標）などの任意の他のソーシャルネットワークとし得ることが認識できる。
【００２３】
図２Ｂは、本発明の例示の実施形態を示す図２５０である。小売業者のウェブサイトは、ログインした複数のユーザを有するユーザインターフェース２５２を示すが、その他の点では図２Ａのユーザインターフェース２０２と同様である。複数のユーザは、第１のユーザソーシャルネットワーク２５８に関連付けられた第１のユーザ２５４、および勧誘されたユーザ２６４ａ〜ｃを含む。各勧誘されたユーザ２６４ａ〜ｃは、それぞれの勧誘されたソーシャルネットワーク２６８ａ〜ｃに属することができ、勧誘されたユーザアバター２６６ａに関連付けられ、これはユーザインターフェース２５２上に示され、そのそれぞれのユーザが３Ｄ製品を編集していることを示す。さらに、各勧誘されたユーザは勧誘されたユーザ通信コントロール２７０ａ〜ｃを有し、勧誘されたユーザがウェブカメラまたは音声通信を開始する、または彼等のスピーカもしくはマイクロフォンの音量をコントロールすることを可能にする。
【００２４】
第１のユーザ２５４は、勧誘２８０ａ〜ｂを勧誘されたユーザ２６６ａ〜ｃに発行することができる。次いで各勧誘されたユーザは、他のユーザを勧誘する権限を有する。例えば勧誘されたユーザ２６４ａは、勧誘２８０ｃを勧誘されたユーザ２６４ｃに送ることができる。受諾された後にすべてのユーザ２５４および２６４ａ〜ｃは、３Ｄ製品の様々な特徴をカスタマイズすることができる。さらにすべてのユーザ２５４および２６４ａ〜ｃは、製品をカスタマイズされた視点から見ることが可能になり、これはカスタマイズされた回転視点、およびカスタマイズされたズームレベルを含む。従って各ユーザは、３Ｄ領域において異なる視点から３Ｄ製品を見ることができる。
【００２５】
図３Ａは、ユーザインターフェース３０２の例示の実施形態を示す図３００である。ユーザインターフェース３０２はユーザに、結合構造３０６およびドロップペンダント３０８を有する３Ｄ製品３０４を提示する。ユーザインターフェースはさらに、複数のコントロールをユーザに提示する：
ａ）３Ｄ製品３０４の要素を回転するための回転コントロール３１０、
ｂ）３Ｄ製品３０４をそのもとの状態にリセットするためのリセットコントロール３１８、
ｃ）選択された要素に対して異なる構造（例えば利用可能な構造３１６ａ〜ｃ、および選択された構造３１４）を選択するための構造選択バー３１２、
ｄ）構造選択バー３１２を活動化するための形状コントロール３２０、
ｅ）材料選択バー（図３Ａには示されない）を活動化するための材料コントロール３２２。
【００２６】
図１および図２Ａ〜Ｂに示されるように、複数のユーザが３Ｄ製品３０４をカスタマイズするためにコラボレーションすることができる。３Ｄ製品３０４の各要素は、その要素をどのユーザがカスタマイズしているかを示す色またはパターンを示す特定の枠を有することができる。例えば結合構造３０６は、３Ｄ製品の特定の要素が、枠の色またはパターンに関連付けられたアバターを有するユーザによって編集されていることを示す枠を有する。あるいは、どのユーザがそれを編集していることを示すために、要素全体が一定の色、パターン、または明るさによって陰影付けされることも可能である。
【００２７】
図３Ｂは、本発明の例示の実施形態を示す図３５０である。ユーザは、図３Ａのユーザインターフェース３０２と同様のユーザインターフェース３０２の、回転コントロール３６０を選択している。次にユーザインターフェース３０２は、回転された３Ｄ製品３５４、および回転された結合構造３５６を提示する。
【００２８】
図４Ａは、本発明の例示の実施形態を示す図４００である。図４Ａは、図３Ａ〜Ｂのユーザインターフェース３０２と同様のユーザインターフェース３０２を示す。この例ではユーザインターフェース３０２は、構造選択バー３１２からの利用可能な構造４１６ａ〜ｃの、選択された構造４１４のユーザ選択に対応する結合構造４０６を有する３Ｄ製品４０４を提示する。ユーザは、各要素に対して異なる利用可能な構造および材料を選択することができ、３Ｄ製品４０４をカスタマイズする。
【００２９】
図４Ｂは、本発明の例示の実施形態を示す図４５０である。図４Ｂは、図３Ａ〜Ｂおよび図４Ａのユーザインターフェース３０２と同様のユーザインターフェース３０２を示す。ユーザインターフェース３０２は、選択された回転コントロール４６０のユーザ選択に応じて、結合構造４５６が１８０度回転されたように、回転された３Ｄ製品４５４を提示する。
【００３０】
図５は、本発明の例示の実施形態を示す図５００である。ユーザインターフェース５０２は、図３Ａ〜Ｂおよび図４Ａ〜Ｂのユーザインターフェース３０２と同様であるが、ユーザインターフェース５０２は、所与のユーザに特有の強調表示によって、ドロップペンダント５０８が編集されていることを示す。具体的にはユーザがドロップペンダント５０８を選択した後に、ユーザは、構造選択バーからの利用可能な構造５１６ａ〜ｃの、選択された構造５１４を選んでいる。ユーザインターフェース５０２はそれに応じて、選択された構造５１４を有するドロップペンダント５０８を提示する。
【００３１】
図６Ａは、本発明の例示の実施形態を示す図６００である。ユーザインターフェース６０２は、図３Ａ〜Ｂ、図４Ａ〜Ｂのユーザインターフェース３０２、および図５のユーザインターフェース５０２と同様であるが、ユーザインターフェース６０２は、ドロップペンダント６０８の宝石が編集されていることを示す。ドロップペンダント６０８の宝石のユーザ選択に応じて、ユーザインターフェース６０２は宝石ツールバー６２４を表示する。次いでユーザは、宝石ツールバー６２４内の利用可能な宝石６２８ａ〜ｅの、選択された宝石６２６（例えばエメラルド）を選ぶ。ユーザインターフェース６０２はそれに応じて、選択された宝石６２６（例えばエメラルド）を有するドロップペンダント６０８を提示する。
【００３２】
図６Ｂは、本発明の例示の実施形態を示す図６５０である。ユーザインターフェース６０２は、図３Ａ〜Ｂ、図４Ａ〜Ｂのユーザインターフェース３０２、図５のユーザインターフェース５０２、および図６Ａのユーザインターフェース６０２と同様であるが、図６Ｂのユーザインターフェースは、ドロップペンダント６０８の複数の宝石が編集されていることを示す。図６Ｂのドロップペンダント６０８は複数の宝石を有するので、ユーザインターフェースは、複数の宝石選択コントロール６２８ａ〜ｆを提示する。ユーザは、各宝石を別個に選択することができ、次いで宝石選択ツールバー６２４から利用可能な宝石６２８ａ〜ｆを選ぶことができる。次いでユーザインターフェース６０２はそれに応じてルビー宝石６３０、トパーズ宝石６３２、アメジスト宝石６３４、ダイヤモンド宝石６３６、サファイア宝石６３８、およびエメラルド宝石６４０を提示する。
【００３３】
図７は、本発明によって使用されるプロセスの例示の実施形態を示すフロー図７００である。プロセスは、ユーザによって選択された消費者製品の３Ｄモデルを表示するユーザインターフェースを提供するステップ（７０２）を含む。サーバは、ユーザのユーザデバイス、または複数のユーザの複数のユーザデバイスにおいて、ユーザインターフェースを提供することができる。次いでプロセスは、提供されたユーザインターフェースにおいて、複数のユーザの少なくとも２人のユーザから受け取られた消費者製品の選択および操作に基づいて、消費者製品の３Ｄモデルのカスタマイズ化を可能にする（７０４）。このカスタマイズ化は、最初のユーザが他のユーザに、同様に製品をカスタマイズするように勧誘を送った後に生じることができる。方法はさらに、複数のユーザの少なくとも１人による、カスタマイズされた３Ｄモデルの確定に応じて、カスタマイズされた３Ｄモデルを３Ｄ印刷のために提出するステップ（７０６）を含む。
【００３４】
図８は、本発明の例示の実施形態を示すブロック図８００である。１または複数のユーザインターフェースモジュール８０２は、ユーザが１または複数の勧誘８１０ａを勧誘モジュール８０４に送ることを可能にする。それに応じて勧誘モジュール８０４は、勧誘８１０ｂを適切な異なるユーザおよびユーザインターフェースモジュール８０２に送る。次いですべての勧誘されたユーザは、それらの対応するユーザインターフェースモジュール８０２を介して、カスタマイズ化８１２をカスタマイズ化モジュール８０６に送ることができる。カスタマイズ化８１２は、３Ｄモデルの異なる要素に対するものであるが、各別個の要素が、同時にカスタマイズされ得る。しかし上述のように、２人のユーザが同時に同じ要素カスタマイズすることはできない。カスタマイズ化８１２の受け取りに応じてカスタマイズ化モジュール８０６は、３Ｄモデルに対する更新８１４をユーザインターフェースモジュール８０２のそれぞれに提供する。次いでユーザが３Ｄモデルを確定したときは、ユーザインターフェースモジュール８０２の１または複数は、最終の３Ｄモデル８１６を、印刷するために３Ｄ印刷モジュール８０８に送る。次いでカスタマイズされた３Ｄ印刷された製品は、顧客に出荷されることが可能になる。
【００３５】
図９は、本発明の実施形態が実施され得る、コンピュータネットワークまたは同様のデジタル処理環境を示す。
【００３６】
クライアントコンピュータおよび／またはデバイス５０、ならびに１または複数のサーバコンピュータ６０は、アプリケーションプログラムなどを実行する処理、記憶、および入力／出力デバイスを提供する。クライアントコンピュータ／デバイス５０はまた、通信ネットワーク７０を通じて、他のクライアントコンピュータ／デバイス５０およびサーバコンピュータ６０を含む、他のコンピューティングデバイスにリンクされ得る。通信ネットワーク７０は、一般にそれぞれのプロトコル（ＴＣＰ／ＩＰ、ブルートゥース（登録商標）など）を用いて互いに通信するリモートアクセスネットワーク、グローバルネットワーク（例えばインターネット）、コンピュータの世界的集合、ローカルエリアまたは広域ネットワーク、およびゲートウェイの一部とすることができる。他の電子デバイス／コンピュータネットワークアーキテクチャも適する。
【００３７】
図１０は、図９のコンピュータシステムにおけるコンピュータ（例えばクライアントコンピュータ／デバイス５０、またはサーバコンピュータ６０）の例示の内部構造の図である。各コンピュータ５０、６０は、システムバス７９を含み、バスは、コンピュータまたは処理システムの構成要素の間のデータ転送のために用いられるハードウェアラインのセットである。システムバス７９は、本質的に、要素の間の情報の転送を可能にする、コンピュータシステム（例えばプロセッサ、ディスク記憶装置、メモリ、入力／出力ポート、ネットワークポートなど）の異なる要素を接続する共有の伝達手段である。システムバス７９には、様々な入力および出力デバイス（例えばキーボード、マウス、ディスプレイ、プリンタ、スピーカなど）をコンピュータ５０、６０に接続するためのＩ／Ｏデバイスインターフェース８２がアタッチされる。ネットワークインターフェース８６は、コンピュータが、ネットワーク（例えば図９のネットワーク７０）にアタッチされた様々な他のデバイスに接続することを可能にする。メモリ９０は、本発明の実施形態を実施するために用いられるコンピュータソフトウェア命令またはルーチン９２Ａおよびデータ９４のための、揮発性記憶を提供する（例えば上記で詳述されたユーザインターフェースモジュール、勧誘モジュール、カスタマイズ化モジュールコード）。ディスク記憶装置９５は、本発明の実施形態を実施するために用いられるコンピュータソフトウェア命令９２またはオペレーティングシステム（ＯＳ）プログラム９２Ｂおよびデータ９４のための、不揮発性記憶を提供する。中央処理装置８４もシステムバス７９にアタッチされ、コンピュータ命令の実行を提供する。
【００３８】
一実施形態では、プロセッサルーチン９２Ａ、プログラム９２Ｂ、およびデータ９４は、本発明のシステムのためのソフトウェア命令の少なくとも一部分を提供する非一時的コンピュータ可読媒体（例えば１または複数のＤＶＤ−ＲＯＭ、ＣＤ−ＲＯＭ、ディスケット、テープその他などのリムーバブル記憶媒体）を含む、コンピュータプログラム製品である（全体に９２として参照される）。コンピュータプログラム製品９２は、当技術分野でよく知られているように、任意の適切なソフトウェアインストール手順によってインストールされ得る。他の実施形態では、ソフトウェア命令の少なくとも一部分はまた、ケーブル通信および／または無線接続を通してダウンロードされ得る。他の実施形態では、本発明のプログラムは、伝搬媒体（例えば無線周波数波、赤外線波、レーザ波、音波、またはインターネットもしくは他のネットワークなどのグローバルネットワークを通して伝搬される電波）上の伝搬信号において具体化されるコンピュータプログラム伝搬信号製品である。このようなキャリア媒体または信号は、本発明のルーチン／プログラム９２のためのソフトウェア命令の少なくとも一部分を提供するために使用され得る。
【００３９】
本発明について、その例示の実施形態を参照して具体的に示され述べられたが、添付の特許請求の範囲によって包含される本発明の範囲から逸脱せずに、形態および詳細において様々な変更がなされ得ることが、当業者により理解されるであろう。
【図１】
2017120629.tif 000003
【図２Ａ】
2017120629.tif 000004
【図２Ｂ】
2017120629.tif 000005
【図３Ａ】
2017120629.tif 000006
【図３Ｂ】
2017120629.tif 000007
【図４Ａ】
2017120629.tif 000008
【図４Ｂ】
2017120629.tif 000009
【図５】
2017120629.tif 000010
【図６Ａ】
2017120629.tif 000011
【図６Ｂ】
2017120629.tif 000012
【図７】
2017120629.tif 000013
【図８】
2017120629.tif 000014
【図９】
2017120629.tif 000015
【図１０】
2017120629.tif 000016
【外国語明細書】
2017120629000001.pdf